【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
無線機能付き時計であって、
ハウジングと、
前記ハウジング内に収容され、外部からの電波を受信するためのアンテナとを備え、
前記ハウジングが、少なくとも導電性の時計ケースと、時計ケースの下面開口部を覆うように装着される導電性の裏蓋とを備え、
前記裏蓋が、上方向に突設するように形成された中子部材を備え、
前記中子部材が、中子部材を平面方向に貫通し、アンテナの開放端部近傍に対向して配置された開口部を備えることを特徴とする無線機能付き時計。
【請求項２】
前記中子部材の開口部が、アンテナの開放両端部に対向して配置された２つの開口部から構成されていることを特徴とする請求項１に記載の無線機能付き時計。
【請求項３】
前記中子部材の開口部の上下方向に沿った断面が、少なくともアンテナの上下方向に沿った断面より大きく開口されていることを特徴とする請求項１から２のいずれかに記載の無線機能付き時計。
【手続補正２】
【補正対象書類名】明細書
【補正対象項目名】００８３
【補正方法】変更
【補正の内容】
【００８３】
なお、ムーブメント２０より突出して、ソーラーセル２２と文字板２４とを貫通する針軸３１には、分針１１と時針１３とが配置される。これら分針と時針とは、文字板２４と風防１８との間に位置して時刻を表示するようになっている。
また、図２〜図４に示したように、時計ケース１４の本体部から内側に突出するように設けられた突出部３２が形成されている。
【手続補正３】
【補正対象書類名】明細書
【補正対象項目名】００９２
【補正方法】変更
【補正の内容】
【００９２】
しかも、従来のように時計ケース１４の内壁を削る必要がなく、時計ケース１４の肉厚部が不要で、裏蓋１６の形状が特殊な形状にならず、開口部３４ａ、３４ｂを、例えば、極めて簡単な切削加工で形成することができ、加工性、生産性に優れる。
この場合、この実施例では、中子部材４８の開口部３４が、アンテナ２６の開放両端部２６ａ、２６ｂに対向して配置された２つの開口部３４ａ、３４ｂから構成したが、図５に示したように、中子部材４８の開口部３４が、アンテナ２６の少なくとも一方の開放端部、例えば、図５の実施例のように、アンテナ２６の開放端部２６ａに対向して配置された開口部３４ａから構成しても良い。
【手続補正４】
【補正対象書類名】明細書
【補正対象項目名】００９３
【補正方法】変更
【補正の内容】
【００９３】
このように構成することによって、アンテナ２６の少なくとも一方の開放端部２６ａに対向する裏蓋１６の中子部材４８の部分には、開口部３４ａが設けられており、電波の受信を妨げる導電性の中子部材４８が存在しないので、アンテナ２６の少なくとも一方の開放端部２６ａと導電性の中子部材４８との距離が大きくなる。
【手続補正５】
【補正対象書類名】明細書
【補正対象項目名】０１２３
【補正方法】変更
【補正の内容】
【０１２３】
この場合、この実施例２では、図７〜図９に示したように、中子部材４８の開口部３４が、アンテナ２６の開放両端部２６ａ、２６ｂに対向して配置された２つの開口部３４ａ、３４ｂから構成したが、図示しないが、図５に示した実施例と同様に、中子部材４８の開口部３４が、アンテナ２６の少なくとも一方の開放端部、アンテナ２６の開放端部２６ａに対向して配置された開口部３４ａから構成しても良い。
（実施例３）
【手続補正６】
【補正対象書類名】明細書
【補正対象項目名】０１３６
【補正方法】変更
【補正の内容】
【０１３６】
この場合、この実施例３では、図１０〜図１３に示したように、中子部材４８の開口部３４が、アンテナ２６の開放両端部２６ａ、２６ｂに対向して配置された２つの開口部３４ａ、３４ｂから構成したが、図示しないが、図５に示した実施例と同様に、中子部材４８の開口部３４が、アンテナ２６の少なくとも一方の開放端部、アンテナ２６の開放端部２６ａに対向して配置された開口部３４ａから構成しても良い。
（実施例４）
【手続補正７】
【補正対象書類名】明細書
【補正対象項目名】０１３８
【補正方法】変更
【補正の内容】
【０１３８】
この実施例の無線機能付き時計１０は、図１〜図４に示した無線機能付き時計１０と基本的には同様な構成であり、同一の構成部材には、同一の参照番号を付して、その詳細な説明を省略する。
この実施例の無線機能付き時計１０では、図１〜図４に示した実施例では、中子部材４８の開口部３４が、中子部材４８の上端部が開放端３４ｅとなるように、中子部材４８を平面方向に貫通するように形成したスリット形状の開口部３４となっているが、この実施例では、中子部材４８を平面方向に貫通するように形成した開口部３４'となっている。
【手続補正８】
【補正対象書類名】明細書
【補正対象項目名】０１３９
【補正方法】変更
【補正の内容】
【０１３９】
なお、図１〜図４に示した実施例のように中子部材４８の開口部３４が、中子部材４８の上端部が開放端３４ｅとなるように、中子部材４８を平面方向に貫通するように形成した開口部３４、この実施例のように、中子部材４８を平面方向に貫通するように形成した開口部３４'であれば、開口部３４、３４’を、例えば、プレス加工や切削加工などの極めて簡単な加工で形成することができ、加工性、生産性に優れることになる。
【手続補正９】
【補正対象書類名】明細書
【補正対象項目名】０１４３
【補正方法】変更
【補正の内容】
【０１４３】
１０   無線機能付き時計
１２   ハウジング
１１   分針
１３   時針
１４   時計ケース
１４ａ ネジ孔
１４ｃ 雌ネジ部
１６   裏蓋
１６ａ 固定ネジ用貫通孔
１８   風防
２０   ムーブメント
２０ａ 小径部
２０ｂ 大径部
２２   ソーラーセル
２４   文字板
２６   アンテナ
２６ａ、２６ｂ       開放端部
２６ｃ 磁芯部材
２６ｄ コイル
２８   バンド取り付け部
３０   脚部
３１   針軸
３２   突出部
３４   開口部
３４ａ、３４ｂ       開口部
３４ｃ、３４ｄ       両端部
３４ｅ 開放端
３４'   開口部
３８   固定用ネジ
４６   パッキン
４８   中子部材
４８ｃ 雄ネジ部
５０   係合用凸部
５１   防水パッキン
５２   係合用凹部
５４   支持枠
１００ 電波時計
１０２ ハウジング
１０４ 時計ケース
１０６ 裏蓋
１０８ 風防
１１０ ムーブメント
１１２ ソーラーセル
１１４ 文字板
１１６ アンテナ
１１８ バンド取り付け部
１２０ 脚部
１２２ スリット
２００ 電波時計
２０２ 時計ケース
２０４ アンテナ
２０４ａ、２０４ｂ   両端部
２０６ 肉厚部
２０６ かん部
２０８ 内壁
２１０ａ、２０１ｂ   空間
Ｃ     軸線
Ｄ     弦（軸線）
Ｅ     アンテナ２６の上下方向に沿った断面
Ｆ     アンテナ２６のコアの上下方向に沿った断面
Ｇ     直線
Ｏ     中心
Ｒ１、Ｒ２    半径
Ｘ     交点
α     角度
【手続補正１０】
【補正対象書類名】図面
【補正対象項目名】図１
【補正方法】変更
【補正の内容】
【図１】
2008232762.tif 000001
【手続補正１１】
【補正対象書類名】図面
【補正対象項目名】図２
【補正方法】変更
【補正の内容】
【図２】
2008232762.tif 000002
【手続補正１２】
【補正対象書類名】図面
【補正対象項目名】図３
【補正方法】変更
【補正の内容】
【図３】
2008232762.tif 000003
【手続補正１３】
【補正対象書類名】図面
【補正対象項目名】図１２
【補正方法】変更
【補正の内容】
【図１２】
2008232762.tif 000004
【手続補正１４】
【補正対象書類名】図面
【補正対象項目名】図１３
【補正方法】変更
【補正の内容】
【図１３】
2008232762.tif 000005
【手続補正１５】
【補正対象書類名】図面
【補正対象項目名】図１４
【補正方法】変更
【補正の内容】
【図１４】
2008232762.tif 000006